(57)【特許請求の範囲】
【請求項１】
エアゾール容器と、該エアゾール容器に装着されたエアゾールバルブのステムに嵌着される噴射部材とを備えるエアゾール製品であって、
エアゾールバルブの噴射バルブが、ハウジングと、ハウジング内に挿入されるステムと、ステムの外周に挿着されるステムラバーとから構成され、
ステムを回転させるとエアゾール容器に封入される内容物をステムのステム孔に流入する通路構造が設けられており、
ステムが噴射部材と共動するように噴射部材の噴射通路に嵌合しており、
ステムラバーはステムが回転しても共回りしないように固定されており、
前記ステムが、ステム孔が形成されているステム本体と、ステム本体の中央部に形成される円板部を備えており、
前記ハウジングの頂部中央側に第１段差部が形成され、該第１段差部の外周側に第２段差部が形成され、
第１段差部に円板部が載置され、第２段差部にステムラバーが載置されており、
前記通路構造が、前記ステムの円板部の底面および上面に設けられた水平方向の通路と、これらの通路を繋げる垂直方向の通路と、ステムラバーの通路を有する
ことを特徴とするエアゾール製品。
【請求項２】
エアゾール容器と、該エアゾール容器に装着されたエアゾールバルブのステムに嵌着される噴射部材とを備えるエアゾール製品であって、
エアゾールバルブの噴射バルブが、ハウジングと、ハウジング内に挿入されるステムと、ステムの外周に挿着されるステムラバーとから構成され、
ステムを回転させるとエアゾール容器に封入される内容物をステムのステム孔に流入する通路構造が設けられており、
ステムが噴射部材と共動するように噴射部材の噴射通路に嵌合されており、
前記ステムラバーが、ステムの回転により共回りしないように固定されており、
前記ステムが、ステム孔が形成されているステム本体と、ステム本体の中央部に形成された円板部とを備えており、
前記ハウジングの頂部中央側に第１段差部が形成され、該第１段差部の外周側に第２段差部が形成され、
前記通路構造が、前記ステムの円板部の上面に設けられた水平方向の通路と、前記ハウジングの第１段差部に設けられた水平方向の通路と垂直方向の通路と、ステムラバーの通路を有する
ことを特徴とするエアゾール製品。
【請求項３】
前記ステムラバーの通路が、内径端部に設けられた切り欠き凹部または傾斜面である請求項１または２記載のエアゾール製品。
【請求項４】
エアゾール容器と、該エアゾール容器に装着されたエアゾールバルブのステムに嵌着される噴射部材とを備えるエアゾール製品であって、
エアゾールバルブの噴射バルブが、ハウジングと、ハウジング内に挿入されるステムと、ステムの外周に挿着されるステムラバーとから構成され、
ステムを回転させるとエアゾール容器に封入される内容物をステムのステム孔に流入する通路構造が設けられており、
ステムが噴射部材と共動するように噴射部材の噴射通路に嵌合されており、
前記ステムラバーが、ステムの回転により共回りしないように固定されており、
前記ステムが、ステム孔が形成されているステム本体と、ステム本体の中央部に形成された円板部とを備えており、
前記ハウジングの頂部中央側に第１段差部が形成され、該第１段差部の外周側に第２段差部が形成され、
前記通路構造が、前記ハウジングの第１段差部に設けられた水平方向の通路と垂直方向の通路と、ステムラバーに設けた水平通路を有する
ことを特徴とするエアゾール製品。
【請求項５】
請求項１〜４記載のエアゾール製品の噴射部材を対象物に押し当てて、前記エアゾール容器を回転させることにより、前記エアゾール容器に封入される内容物を噴射するエアゾール製品の噴射方法。
【請求項６】
請求項１〜４記載のエアゾール製品の噴射部材を対象物に固定し、前記エアゾール容器を回転させることにより、前記エアゾール容器に封入される内容物を噴射するエアゾール製品の噴射方法。
【請求項７】
請求項１〜４記載のエアゾール製品のエアゾール容器の底部に、すべり止めを設けて静置し、前記噴射部材を回転させることにより、前記エアゾール容器に封入される内容物を噴射するエアゾール製品の噴射方法。
【発明の詳細な説明】
【０００１】
【発明の属する技術分野】
本発明はエアゾール製品の噴射方法および該噴射方法に用いるエアゾール製品に関する。さらに詳しくは、片手または片足の操作により、簡単にエアゾール容器に封入される内容物を噴射することができるエアゾール製品の噴射方法および該噴射方法に用いるエアゾール製品に関する。
【０００２】
【従来の技術および発明が解決しようとする課題】
従来のエアゾール製品は、エアゾール容器と、該エアゾール容器に装着されるエアゾールバルブのステムに嵌着される噴射部材とからなり、ステムの下部に装着したスプリングの弾性力を用いて、ステムおよびステムラバーをマウンティングカップ内面に押し付けることによりシールしている。このエアゾール製品から内容物を噴射したいときには、ステムに装着した噴射部材（押しボタンまたはスパウトなど）を容器の軸方向に押し下げてシールを解除するが、スプリングの弾性力に逆らってステムを降下させる必要があるため、ある程度の力が必要となる。そのため、力の弱い人や手の小さい人、またはたとえば背中のように、噴射したい箇所によっては噴射しにくい場合がある。
【０００３】
一方、ステムを傾動させることによりシールを解除し、噴射できるバルブがある。該バルブは、スプリングの弾性力に逆らってステムを降下させる必要がないため、比較的弱い力で内容物を噴射させることができる。しかし、該バルブの場合は、キャップを外すときなど、噴射部材にキャップなどが接触するだけで噴射してしまう場合がある。また、多量に噴射し続けたいときや、長時間噴射し続けたいときには、指で噴射部材を押し下げ続ける必要があるため手間がかかる。
【０００４】
さらにエアゾール製品が不要となり廃棄するときには、噴射音がしなくなるまで噴射部材を押し続けるか、またはステムを下降させる状態を維持できるようなガス抜き治具を取り付ける方法が取られている。しかし、噴射部材を押し続ける方法では手間がかかる。また、ガス抜き治具を取り付ける場合にはコストアップになるという問題がある。
【０００５】
本発明は、叙上の事情に鑑み、噴射動作を簡単に行なうことができるエアゾール製品の噴射方法および該噴射方法に用いるエアゾール製品を提供することを目的とする。
【０００６】
【課題を解決するための手段】
本発明のエアゾール製品は、エアゾール容器と、該エアゾール容器に装着されたエアゾールバルブのステムに嵌着される噴射部材とを備えるエアゾール製品であって、エアゾールバルブの噴射バルブが、ハウジングと、ハウジング内に挿入されるステムと、ステムの外周に挿着されるステムラバーとから構成され、ステムを回転させるとエアゾール容器に封入される内容物をステムのステム孔に流入する通路構造が設けられており、ステムが噴射部材と共動するように噴射部材の噴射通路に嵌合しており、ステムラバーはステムが回転しても共回りしないように固定されていることを特徴とする。
【０００７】
また、本発明のエアゾール製品の噴射方法は、請求項１〜５記載のエアゾール製品を用い、噴射部材を対象物に押し当てるか、または固定したのち、前記エアゾール容器を回転させることにより、前記エアゾール容器に封入される内容物を噴射することを特徴とする。
【０００８】
また、本発明のエアゾール製品の噴射方法は、請求項１〜５記載のエアゾール製品を用い、前記エアゾール容器の底部に、すべり止めを設けて静置し、前記噴射部材を回転させることにより、前記エアゾール容器に封入される内容物を噴射することを特徴とする。
【０００９】
さらに本発明のエアゾール製品は、エアゾール容器と、該エアゾール容器に装着されたエアゾールバルブのステムに嵌着される噴射部材とを備え、前記エアゾール容器に内容物を封入したエアゾール製品であって、前記エアゾール容器とステムのうち、いずれかを回転させることにより、前記エアゾール容器に封入される内容物が噴射されることを特徴とする。
【００１０】
【発明の実施の形態】
以下、添付図面に基づいて、本発明のエアゾール製品の噴射方法および該噴射方法に用いるエアゾール製品を説明する。
【００１１】
実施の形態１
図１〜５に示されるように、エアゾール製品は、有底筒状の容器本体１の上端開口部にエアゾールバルブ２を装着し、内容物（エアゾール組成物）を封入したエアゾール容器３と、前記エアゾールバルブ２のステム４に嵌着される噴射部材であるボタン５とから構成されている。この噴射部材としては、ボタン５以外にスパウトまたはブラシなどを用いることもできる。前記ボタン５を回転させると、ステム４が共動するようにステム４とボタン５とは強く嵌合されている。
【００１２】
前記エアゾール容器３として、容器本体１の一重構造エアゾール容器が用いられているが、本発明においては、とくに限定されるものではなく、容器本体１とその内部に収納される内部容器からなる二重構造エアゾール容器または容器本体１とその内面に摺動自在に設けられるピストンからなるピストン型エアゾール容器などであり、内容物の種類により適宜選定することができる。この容器本体１としては、アルミニウムや、鋼などの金属製容器またはポリエチレンテレフタレート（ＰＥＴ）やポリブチレンテレフタレート（ＰＢＴ）などの合成樹脂製容器、ガラス製容器などの耐圧性容器などを用いることができる。
【００１３】
前記エアゾールバルブ２としては、容器本体１の上端開口部に形成されるビード部にガスケットを介して取り付けられるマウンティングカップ６と該マウンティングカップ６の中央内部に支持される噴射バルブ７とからなるものを用いることができる。
【００１４】
該噴射バルブ７は、ステム４を回転させることにより、バルブの開閉（噴射と停止）を操作することができるものであれば、本発明において、とくに限定されるものではないが、本実施の形態では、ハウジング８と、該ハウジング８内に挿入されたステム４と、前記ステム４の外周に挿着されるステムラバー９とから構成され、該ステムラバー９がマウンティングカップ６に押圧され、容器本体１がマウンティングカップ６とステムラバー９とのあいだでシールして固定されている。
【００１５】
本実施の形態１では、前記エアゾールバルブ２の噴射バルブ７に、前記ステム４を回転させると、該エアゾール容器３に封入される内容物を該ステム４のステム孔１０に流入させる通路構造が設けられている。
【００１６】
前記ステム４は、ステム孔１０が形成される円筒形のステム本体１１と該ステム本体１１の中央部に形成される円板部１２と、該円板部１２の下部に設けられるとともに、ハウジング８の貫通路８ａに挿通され、ディップチューブ２１を嵌め込み、該ディップチューブ２１から吸い上げられる内容物をステム４の通路１６ａ外周側へ送る連通孔１５ａ、１５ｂを有する円筒形のステム下部１５から構成されている。また、前記ハウジング８は、頂部に中央側の段差部（以下、単に第１段差部という）１３と該段差部１３の外周側の段差部（以下、単に第２段差部という）１４が形成されており、該第１段差部１３に前記円板部１２が載置されるとともに、該第２段差部１４に前記ステムラバー９が載置されている。このステムラバー９は、第２段差部１４に形成される複数の突起８ｂによりステム４が回転しても共回りしないように固定されている。また、円板部１２には、ステム孔１０に向くように底面および上面に形成される水平方向の通路１６ａ、１６ｂおよびこれらの通路１６ａ、１６ｂを繋げる垂直方向の通路１６ｃを有している。前記底面の通路１６ａはステム下部１５の外周面の連通孔１５ｂまで延びている。また、ステムラバー９には、開口端部（内径端部）に切り欠き凹部の通路９ａが形成されている。前記ステム孔１０、ステム下部１５の連通孔１５ｂおよび円筒部１２の通路１６ａ〜１６ｃとステムラバー９の通路９ａとは、所定の角度θの位置に配置されている。この角度θは、たとえば容器本体１を手で握り、ボタン５の操作レバー５ａを親指で無理なく回転操作させるために、９０°以内に設定するのが好ましい。本実施の形態１では、角度θは４５°に設定されている。また、この所定の角度を確実に設定するために、操作レバー５ａの回転位置決め面（ストッパー面）１７が形成される肩カバー１８がボタン５を覆うようにエアゾール容器３の肩部のカール部に装着されている。この肩カバー１８の上面には、バルブの閉状態と開状態の操作レバー５ａの位置がわかるように印が付けられている。なお、１９ａは操作レバー５ａのための操作窓であり、１９ｂは噴射窓であり、操作レバー５ａが閉状態の位置にあるときには噴射孔２０は隠れている。
【００１７】
本実施の形態１における通路構造は、ステム下部１５の連通孔１５ａ、１５ｂ、円板部１２の通路１６ａ〜１６ｃおよびステムラバー９の通路９ａから構成されている。
【００１８】
本実施の形態１では、操作レバー５ａを親指で回転操作してボタン５を介してステム４を回転させると、該ステム４のステム孔１０、ステム下部１５の連通孔１５ｂおよび通路１６ａ〜１６ｃがステムラバー９の通路９ａの位置に位置決めされる。これにより、このハウジング８の下部に嵌め込まれているディップチューブ２１から吸い上げられた内容物は、ステム下部１５の連通孔１５ａ、１５ｂ、円筒部１２の通路１６ａ〜１６ｃおよびステムラバー９の通路９ａを通してステム孔１０に入り、前記噴射孔２０から内容物が噴射される。ついで前記操作レバー５ａを元の位置に回転させると、前記ステム下部１５の連通孔１５ａ、１５ｂからステムラバー９の通路９ａまでの内容物の流出が閉ざされる。前記操作レバー５ａを回転させるのに必要な力は、ボタン５の外径の方がステム４の外径よりも大きいため、小さくて済む。また、前記操作レバー５ａの操作のうち、元の位置に戻す操作を自動にするために、図２に示されるように、スプリング２２またはゴムなどの弾性体からなる復帰手段を操作レバー５ａと肩カバー１８とのあいだに設けるのが好ましい。
【００１９】
なお、本実施の形態１では、通路構造として、ステム下部１５の連通孔１５ａ、１５ｂ、円板部１２の通路１６ａ〜１６ｃおよびステムラバー９の通路９ａから構成されているが、本発明においては、これに限定されるものではなく、図６に示されるように、円板部１２に通路１６ａ、１６ｃを形成する代わりに、ハウジング８の第１段差部１３に水平方向の通路１３ａと垂直方向の通路１３ｂを形成し、ハウジング８の貫通路８ａ、第１段差部１３の通路１３ａ、通路１３ｂ、円板部１２の通路１６ｂおよびステムラバー９の通路９ａ（図４参照）から構成することができる。ただし、バルブの開閉操作時の所定の角度に設定するためには、ハウジング８、円板部１２およびステムラバー９の３部品に通路が形成されるため、各通路の位置決めが３箇所必要になる。
【００２０】
また、前記円板部１２に形成されるすべての通路１６ａ〜１６ｃを省き、ハウジング８の第１段差部１３に水平方向の通路１３ａと垂直方向の通路１３ｂを形成するとともに、ステムラバー９の外周面から通路９ａに繋がる水平通路を形成し、ハウジング８の貫通路８ａ、第１段差部１３の通路１３ａ、通路１３ｂ（図６参照）およびステムラバー９の水平通路、通路９ａ（図４参照）から構成することができる。この場合、ハウジング８およびステムラバー９の２部品に通路が形成されるため、バルブの開閉操作時の所定の角度に設定するための各通路の位置決めは２箇所になる。
【００２１】
さらに図７に示されるように、ステムラバー９の通路を切り欠き凹部とするのではなく、傾斜面９ｂによる通路９ａとすることができる。この場合、ステム４を回転させると、ステムラバー９によりシールされていたステム孔１０が傾斜面９ｂによりシールが解除されて内容物を噴射することができる。
【００２２】
この形態にかかわるエアゾール製品は、前記ボタンに代えて、噴射部材がスパウトであり、図８に示されるように、たとえばステム４と同じ方向に吐出口を有するスパウト３１がステム４に嵌着されるとともに、上端が開口にされた肩カバー３２がエアゾール容器３に装着されるエアゾール製品とすることができる。また、この形態は、ハウジング３３にディップチューブを設けていなく、倒立で使用するバルブを備えている。このエアゾール製品では、スパウト３１を下に向けて操作レバー３１ａを回転させると、貫通路３３ａに直接導入される内容物を前述の通路１６ａ〜１６ｃ（図５参照）および通路９ａを経由させて噴射することができる。
【００２３】
本実施の形態１では、操作レバーを操作してステムを回転させているが、本発明においては、これに限定されるものではなく、ボタンなどの噴射部材を対象物に押し当てるか、もしくは固定したのち、前記エアゾール容器を回転させることにより、または前記エアゾール容器の底部を固定または静置したのち、前記噴射部材を回転させることにより、前記エアゾール容器に封入される内容物を噴射することもできる。すなわちエアゾール容器とステムのうち、いずれかを回転させて、前記エアゾール容器に封入される内容物を噴射させることができる。
【００２４】
実施の形態２
前記ボタンなどの噴射部材を噴射すべき対象物に押し当てたのち、前記エアゾール容器を回転させる場合としては、図９に示されるように、エアゾール容器３のステム４に嵌着されたマウス４１の口部４２を肩、背中またはわきなどに押し当てたのち、エアゾール容器３を回転させて所望の内容物を噴射するエアゾール製品がある。かかる製品の内容物としては、消炎鎮痛剤、かゆみ止め、殺菌・消毒剤、傷薬、制汗剤または消臭剤などの人体用組成物を用いることができる。または図１０に示されるように、エアゾール容器３のステム４に嵌着され、複数の吐出口４５を有するブラシ４６を頭部に押し当てたのち、エアゾール容器３を回転させて所望の内容物を噴射するエアゾール製品がある。かかる製品の内容物としては、スタイリング剤、トリートメント剤、染毛剤、育毛剤またはクレンジング剤などの頭髪用組成物を用いることができる。
【００２５】
前記ボタンなどの噴射部材を壁または天井などの対象物に固定したのち、エアゾール容器を回転させる場合としては、図１１に示されるように、Ｔ字状の噴射通路５１が形成される噴射部材５２を壁Ｗに粘着剤や粘着板またはねじなどで固定したのち、該噴射通路５１にエアゾール容器３のステム４を嵌着させたうえで、エアゾール容器３をドアのノブのように回転させて所望の内容物を噴射させるエアゾール製品がある。かかる製品の内容物としては、消臭剤、芳香剤、清涼化剤、殺菌・消毒剤または殺虫剤などの室内や車内用組成物を用いることができる。また、図１２に示されるように、前記噴射部材５２の全体または一部を多孔性物質で成形した噴射部材５２ａを天井Ｃに粘着剤や粘着板またはねじなどで固定したのち、該噴射通路５１ａにエアゾール容器３のステム４を嵌着させたエアゾール製品がある。このエアゾール製品では、噴射された内容物の一部を噴射部材５２ａが吸蔵（貯留）して、徐々に放散させることにより内容物の効果を持続させることができる。かかる製品の内容物としては、消臭剤、芳香剤、清涼化剤、殺菌・消毒剤または殺虫剤などの室内や車内用組成物を用いることができる。
【００２６】
また、エアゾール容器の底部を静置したのち、前記噴射部材を回転させる場合としては、図１３〜１４に示されるように、エアゾール容器３の上端に固着されるスラスト軸受部６１と該スラスト軸受部６１のボール６２を介して載置されるとともに、エアゾール容器３のステム４に嵌着される噴射部材６３とからなるエアゾール製品がある。この噴射部材６３には、同心円状に配置される複数の噴射通路６４ａとステム４に繋がる噴射通路６４ｂが形成されている。また、スラスト軸受部６１と噴射部材６３とは分離しないように、係合部（図示せず）を備えている。このエアゾール製品では、足を噴射部材６３に載せたのち、噴射部材６３を回転させて足裏に内容物を噴射させる。従来のエアゾール製品は足踏み式であるため、足で踏み付けて（押し下げて）噴射させるため、誤って踏み込んでしまう無駄な噴射を防ぐためにロック機構が必要である。これに対し、本実施の形態２では、足を載せても噴射しないため、無駄な噴射をなくすことができる。なお、本実施の形態２では、足での操作であることから、噴射部材６３を回転させやすくするために、ボール６２を使ったスラスト軸受部６１を用いているが、ボールを使用しない滑り軸受などを用いることもできる。また、本実施の形態２においても、実施の形態１で説明したような復帰手段を設けるのが好ましい。さらに容器底部には、足での操作時に製品が傾いたり、移動しないように樹脂やゴム、粘着剤などのすべり止めを設けることが好ましい。エアゾール製品の内容物としては、消臭剤、芳香剤、殺菌剤、消炎鎮痛剤、かゆみ止め、制汗剤または清涼化剤などの足裏用または靴下用組成物を用いることができる。また、図１５に示されるように、ウェットティッシュやペーパータオルなどを取り出すためのエアゾール製品がある。すなわちこの製品は、エアゾール容器３のステム４に嵌着される噴射部材６５と心棒６６を挿通するキャップ６７とからなっている。前記噴射部材６５の中には、ロール状にしたペーパー６８が収納されており、前記心棒６６に形成されるペーパー導入口（図示せず）を通してペーパー６８ａの端部が心棒６６に引き出されている。このエアゾール製品では、噴射部材６５を所定の角度だけ回転させることにより、心棒６６の内部にあるペーパー６８ａおよび通気路６９を通してその近辺にあるペーパー６８に内容物を付着させる。エアゾール製品の内容物としては、化粧水、クレンジング、清拭剤、殺菌・消毒剤、制汗剤、清涼化剤、消炎鎮痛剤、消臭剤、ほてり止めまたは害虫忌避剤などの人体用組成物を用いることができる。
【００２７】
実施の形態３
これまでの実施の形態では、噴射部材に復帰手段が設けられているが、本発明においては、これに限定されるものではなく、前記エアゾールバルブ２の噴射バルブ７に復帰手段を設けることができる。たとえば図１６〜１７に示されるように、復帰手段として、ステム４ａの円板部７０に形成される、対向する一対のフランジ７１と該フランジ７１を囲んでハウジング７２の凹部７３に形成される山形の突起７４とからなるものを用いることができる。なお、本実施の形態３では、フランジは一対形成されているが、少なくとも１つあればよい。前記フランジ７１を囲む突起７４間の距離は、回転後に円板部７０の通路７０ａ〜７０ｃとステムラバー９の通路９ａ（図４参照）が位置合わせされる所定の角度θになるように設定されている。突起７４は合成ゴム、シリコーンゴムまたは樹脂などの弾性素材から作製されている。
【００２８】
本実施の形態３では、操作レバー５ａを操作してステム４ａを回転させると、フランジ７１が弾性変形可能な突起７４に当り、突起７４を変形させる。この状態のとき、ハウジング７２の貫通路７５、円板部７０の通路７０ａ〜７０ｃおよびステムラバー９の通路９ａを通してステム孔１０に内容物が流入し、噴射される。ついで操作レバー５ａから指を離すと、前記突起７４の弾性力（復元力）によりステム４は元の位置に戻されて噴射が停止する。
【００２９】
前記フランジと突起の形状および個数は変更することができる。たとえば図１８に示されるように、復帰手段として、ステム４ｂの円板部７０に形成される４個のフランジ７６と該フランジ７６を囲んでハウジング７７の凹部７８に形成される弓形状の突起７９とからなるものを用いることもできる。
【００３０】
または復帰手段としてコイルスプリングまたは弾性体などを用いることができる。たとえばコイルスプリングを復帰手段として用いるエアゾール製品は、図１９に示されるように、円板部８１に、コイルスプリング８２の周方向の伸縮を保持する保持部８３と該保持部８３の外周上部に前記コイルスプリング８２の上端部と係合する突起８４が形成されているとともに、該保持部８３に形成される、円板部８１に形成される通路８５ａ〜８５ｃおよびハウジング８６の貫通路８６ａに露出する通路８５ｄを有するステム４ｃと、前記円板部８１を装着する第１段差部１３、ステムラバー９を装着する第２段差部１４および保持部８３を収納する収納部（第３段差部）８７が形成されるとともに、前記第３段差部８７の内周下部に前記コイルスプリング８２の下端部と係合する突起８８が形成されるハウジング８６とを備えている。かかるエアゾール製品では、操作レバー５ａを操作してステム４ｃを回転させると、コイルスプリング８２の両端が前記突起８４と突起８８に挟まれているので、コイルスプリング８２は弾性変形し拡径する。この状態のとき、ハウジング８６の貫通路８６ａ、円板部８２の通路８５ａ〜８５ｃおよびステムラバー９の通路９ａを通してステム孔１０に内容物が流入し、噴射される。ついで操作レバー５ａから指を離すと、前記コイルスプリング８２の弾性力（復元力）によりステム４ｃは元の位置に戻されて噴射が停止する。
【００３１】
実施の形態４
これまでの実施の形態にかかわるエアゾールバルブは、ハウジングを設けているが、本発明においては、これに限定されるものではなく、たとえば図２０に示されるように、容器本体９１の開口部にかしめなどにより嵌着されるマウンティングカップ９２と、ステム４ｄおよびステムラバー９からなる噴射バルブ９３とからなるエアゾールバルブ９４を用いることができる。このステム４ｄは、マウンティングカップ９２を容器本体９１の開口部にかしめ付けるときのディップチューブ９５の弾性力により回転可能なように保持されている。本実施の形態４では、ステム４ｄのステム孔１０と円筒部９６に形成される垂直方向の通路９７は、所定の回転動作により、前記ステムラバー９の通路９ａ（図４参照）に連通する。
【００３２】
実施の形態５
これまでの実施の形態では、指で噴射部材または手でエアゾール容器を回転させるようにしているが、本発明においては、これに限定されるものではなく、エアゾール容器またはステムを駆動手段により回転させることもできる。たとえば図２１に示されるように、ステム４を回転させる駆動手段１０１を備えることができる。この駆動手段１０１としては、エアゾール容器３の容器本体１に固着される支持部１０２と駆動モータ１０３とからなるものを用いることができる。この駆動モータ１０３の回転軸１０４はステム４とベルト１０５で連結されている。このエアゾール製品は、駆動手段１０１によりステム４を回転させると、内容物を流入させる通路とステム孔とが回転に伴い連通と遮断を繰り返すため、内容物を間欠的に噴射させることができる。
【００３３】
実施の形態６
前記実施の形態２では、噴射部材を噴射すべき対象物に押し当てたのち、エアゾール容器を回転させることにより、ステムのステム孔とステムラバーの通路を連通させるようにしているが、本発明においては、これに限定されるものではない。すなわちエアゾール容器を回転しながら、噴射部材がエアゾール容器側に押し込められステムを開放させるようにすることができる。本実施の形態６にかかわるエアゾール製品は、図２２〜２３に示されるように、従来と同様にステムを押し下げて噴射するエアゾール容器１１１と、該エアゾール容器１１１の頂部に装着される肩カバー１１２と、該肩カバー１１２に回転自在に、エアゾールバルブのステム４ｅに嵌着される噴射部材１１３とからなり、前記肩カバー１１２と噴射部材１１３とが、肩カバー１１２の内周面に螺旋状の傾斜した案内溝１１４と噴射部材１１３の外周面に形成される係合突起１１５とにより係合している。また、噴射部材１１３の上面には、噴射孔１１６と同心円上にマッサージ用突起１１７が複数設けられている。本実施の形態６では、噴射部材１１３を頭、肩、腰または足などに押し当てたのち、エアゾール容器１１１を回転させると、肩カバー１１２もエアゾール容器１１１とともに回転するため、案内溝１１４と係合突起１１５との係合位置が、案内溝１１４に沿って徐々に変わり、エアゾール容器１１１が噴射部材１１３側に前進する。これにより、エアゾールバルブのステム４ｅとステムラバーが押し下げられて、ステム孔が開放し、内容物を噴射孔１１６から噴射する。かかる製品の内容物としては、育毛剤、消炎鎮痛剤またはかゆみ止めなどの頭皮や皮膚などの人体用組成物を用いることができる。
【００３４】
【発明の効果】
以上説明したとおり、本発明によれば、噴射部材を操作してステムを回転、またはエアゾール容器を回転させてバルブの開閉を行なうため、軽い力で噴射と停止の切り替えができる。エアゾール容器を回して噴射するとき、該容器を握った状態で操作できるため、背中や肩などの噴射しにくい箇所へも容易に噴射することができる。
【００３５】
また、復帰手段を設けると、バルブの閉状態の操作が容易になる。
【００３６】
また、復帰手段を設けていない場合、連続噴射したいときに噴射部材を押し続ける必要がない。
【００３７】
また、復帰手段を設けていない場合や復帰手段を設けている場合でもこれを外すと、廃棄作業時に噴射部材を押し続ける必要がない。
【００３８】
さらに噴射部材を連続して回転させると、噴射と停止を繰り返す間欠的な噴射を行なうことができる。
【図面の簡単な説明】
【図１】本発明の実施の形態１にかかわるエアゾール製品を示す部分切欠き側面図である。
【図２】図１のエアゾール製品を示す部分切欠き平面図である。
【図３】エアゾールバルブの拡大断面図である。
【図４】図３のＡ−Ａ線断面図である。
【図５】図１のステムとステムラバーの斜視図である。
【図６】他の通路構造を示すエアゾールバルブの拡大断面図である。
【図７】さらに他の通路構造を示すエアゾールバルブの拡大断面図である。
【図８】他の噴射部材であるスパウトを用いたエアゾール製品を示す部分切欠き側面図である。
【図９】本発明の実施の形態２にかかわるエアゾール製品を示す側面図である。
【図１０】本発明の実施の形態２にかかわる他のエアゾール製品を示す側面図である。
【図１１】本発明の実施の形態２にかかわるさらに他のエアゾール製品を示す部分切欠き側面図である。
【図１２】本発明の実施の形態２にかかわるさらなる他のエアゾール製品を示す部分切欠き側面図である。
【図１３】本発明の実施の形態２にかかわるさらなる他のエアゾール製品を示す部分切欠き側面図である。
【図１４】図１３のＢ―Ｂ線断面図である。
【図１５】本発明の実施の形態２にかかわるさらなる他のエアゾール製品を示す斜視図である。
【図１６】本発明の実施の形態３にかかわるエアゾール製品のエアゾールバルブを示す拡大断面図である。
【図１７】図１６のＣ―Ｃ線断面図である。
【図１８】他の復帰手段を示す拡大平面図である。
【図１９】さらに他の復帰手段を示す拡大断面図である。
【図２０】本発明の実施の形態４にかかわるエアゾール製品を示す側断面図である。
【図２１】本発明の実施の形態５にかかわるエアゾール製品を示す側面図である。
【図２２】本発明の実施の形態６にかかわるエアゾール製品を示す部分切欠き側面図である。
【図２３】図２２の平面図である。
【符号の説明】
１    容器本体
２    エアゾールバルブ
３    エアゾール容器
４    ステム
５    ボタン
５ａ  操作レバー
６    マウンティングカップ
７    噴射バルブ
８    ハウジング
８ａ  貫通路
８ｂ  突起
９    ステムラバー
９ａ、１６ａ、  通路
１６ｂ、１６ｃ
１０    ステム孔
１１    ステム本体
１２    円板部
１３    中央側の段差部（第１段差部）
１４    外周側の段差部（第２段差部）
１５    ステム下部
１５ａ、１５ｂ  連通孔
１７    回転位置決め面（ストッパー面）
１８    肩カバー
１９ａ  操作窓
１９ｂ  噴射窓
２０    噴射孔
【図１】
0004090261.tif 000002
【図２】
0004090261.tif 000003
【図３】
0004090261.tif 000004
【図４】
0004090261.tif 000005
【図５】
0004090261.tif 000006
【図６】
0004090261.tif 000007
【図７】
0004090261.tif 000008
【図８】
0004090261.tif 000009
【図９】
0004090261.tif 000010
【図１０】
0004090261.tif 000011
【図１１】
0004090261.tif 000012
【図１２】
0004090261.tif 000013
【図１３】
0004090261.tif 000014
【図１４】
0004090261.tif 000015
【図１５】
0004090261.tif 000016
【図１６】
0004090261.tif 000017
【図１７】
0004090261.tif 000018
【図１８】
0004090261.tif 000019
【図１９】
0004090261.tif 000020
【図２０】
0004090261.tif 000021
【図２１】
0004090261.tif 000022
【図２２】
0004090261.tif 000023
【図２３】
0004090261.tif 000024